(57)【特許請求の範囲】
【請求項１】
異なるチャンネル・バンド幅を有する異なるネットワークに対応する、少なくとも１つの周波数バンド内で信号（Ｓ）を受信する無線受信装置であって、
前記無線受信装置は、少なくとも２つのネットワークにおいて用いられ、
チャンネル・フィルタリングの一部または全部が、前記無線受信装置のデジタル部分において行われ、
前記デジタル部分は、サンプリング周波数（ｆｓ）で動作する少なくとも１つのデジタル・フィルター・ユニット（２５）を具備し、
前記無線受信装置は、
前記サンプリング周波数（ｆｓ）で動作し、前記デジタル・フィルター・ユニット（２５）への前記サンプリング周波数（ｆｓ）でサンプルされた入力データを生成するＡ／Ｄ変換器（２１、２３）と；
前記無線受信装置が第１のネットワークでの動作から第２のネットワークでの動作に切替えられるとき、前記第１のネットワークに適合する第１のバンド幅から前記第２のネットワークに適合する第２のバンド幅への前記デジタル・フィルター・ユニット（２５）のバンド幅の変更のために前記サンプリング周波数（ｆｓ）が第１の要因により変わるよう、前記サンプリング周波数（ｆｓ）を制御する制御回路（２８）と；
を備える、無線受信装置。
【請求項２】
前記第２のバンド幅が、前記第２のネットワークのベースバンドで要請されるチャンネル・バンド幅に等しく、ここで前記第１の要因が、前記第１のネットワークのベースバンドで要請されるチャンネル・バンド幅によって分割される、前記第２のネットワークのベースバンドで要請されるチャンネル・バンド幅に等しくなるように、配置される請求項１に記載の無線受信装置。
【請求項３】
前記デジタル・フィルター・ユニット（２５）が、少なくとも１つのフィルター機能ブロック（３０，３１）を具備し、ここで前記デジタル・フィルター・ユニット（２５）における前記第２のバンド幅の処理が、前記無線受信装置が前記第２のネットワークにおいて動作するとき、前記サンプリング周波数（ｆｓ）を変えることおよび前記フィルター機能ブロック（３０，３１）の少なくとも１つを変えることの双方を具備する、請求項１に記載の無線受信装置。
【請求項４】
前記デジタル・フィルター・ユニット（２５）が、少なくとも１つのデシメーション・ブロック（３３，３５）を具備し、かつ前記無線受信装置が前記第２のネットワークにおいて動作するときに、前記フィルター機能ブロック（３０，３１）を改めることが、少なくとも１つのデシメーション・ブロック（３３，３５）においてデシメーション要因（Ｎ１，Ｎ２）を変えることを具備する、請求項３に記載の無線受信装置。
【請求項５】
前記デジタル・フィルター・ユニット（２５）が、少なくとも１つのフィルター部分（３２，３４）を具備し、かつ前記無線受信装置が前記第２のネットワークにおいて動作するとき、前記フィルター機能ブロック（３０，３１）を改めることが、少なくとも１つのフィルター部分（３２，３４）の構造を変えることを具備する、請求項３又は４に記載の無線受信装置。
【請求項６】
前記フィルター部分（３２，３４）が、フィルター・パラメーターを具備し、そのフィルター・パラメーターは、前記フィルター部分（３２，３４）の機能を決定し、かつ前記フィルター部分（３２，３４）の構造を変えることが、前記フィルター・パラメーターの少なくとも１つを変えることを具備する、請求項５に記載の無線受信装置。
【請求項７】
前記フィルター部分（３２，３４）が、少なくとも２組のフィルター・パラメーターを具備し、各組が、前記無線受信装置によって用いられているネットワークの１つに対応しており、ここで前記フィルター部分（３２，３４）の構造を変えることが、前記第２のネットワークに対応するフィルター・パラメーターの組を変えることを具備する、請求項５又は６に記載の無線受信装置。
【請求項８】
前記フィルター部分（３２，３４）が、長さ（Ｌ）をもつＦＩＲフィルターであり、かつ前記フィルター部分（３２，３４）における前記フィルター・パラメーターが、前記フィルター部分（３２，３４）の前記長さ（Ｌ）およびフィルター係数（ｂ０，ｂ１，．．，ｂＬ）を具備する請求項６又は７に記載の無線受信装置。
【請求項９】
前記サンプリング周波数（ｆｓ）を変える手段が、固定周波数を備える水晶発振器（２４）に接続される分割器（２６）である、請求項１に記載の無線受信装置。
【請求項１０】
異なるサンプリング周波数（ｆｓ）を生成する手段が、分割器要因を具備する位相ロック・ループ（２２）であり、その位相ロック・ループ（２２）が、固定周波数を備える水晶発振器（２４）に接続されている、請求項１に記載の無線受信装置。
【請求項１１】
前記サンプリング周波数（ｆｓ）を変える手段が、固定周波数を備える少なくとも２つの異なる発振器を具備し、ここで前記サンプリング周波数（ｆｓ）を変えることが、それら発振器間で切り替えすることによって行われる、請求項１に記載の無線受信装置。
【請求項１２】
ネットワークにおいて動作する移動無線受信装置（ｍ）であって、請求項１乃至１１のいずれかに記載の無線受信装置を用いる移動無線受信装置（ｍ）。
【請求項１３】
異なるネットワークに対応する少なくとも１つの周波数バンド幅において動作する無線受信装置において、チャンネル・バンド幅を変える方法であって、
前記無線受信装置は、少なくとも２つのネットワークにおいて用いられ、
そのチャンネル・フィルタリングの一部または全部は、前記無線受信装置のデジタル部分において行われ、
かつ前記デジタル部分はサンプリング周波数（ｆｓ）で動作する少なくとも１つのデジタル・フィルター・ユニット（２５）を具備していて、
前記無線受信装置は、前記サンプリング周波数（ｆｓ）で動作し、前記デジタル・フィルター・ユニット（２５）への前記サンプリング周波数（ｆｓ）でサンプルされた入力データを生成するＡ／Ｄ変換器（２１、２３）を備え、
前記方法は、前記無線受信装置が第１のネットワークでの動作から第２のネットワークでの動作に切替えられるとき、第１のネットワークに適合する第１のバンド幅から第２のネットワークに適合する第２のバンド幅への前記デジタル・フィルター・ユニット（２５）のバンド幅の変更のためにサンプリング周波数（ｆｓ）が第１の要因により変わるよう、サンプリング周波数（ｆｓ）を制御することを含む、方法。
【請求項１４】
前記サンプリング周波数（ｆｓ）を変えること、および、前記デジタル・フィルター・ユニット（２５）において具備される少なくとも１つのフィルター機能ブロック（３０，３１）が、前記無線受信装置が前記第２のネットワークでの動作に切替えられるときに改めることの双方を具備する、請求項１３に記載の方法。
【請求項１５】
前記無線受信装置が前記第２のネットワークでの動作に切替えられるときに、前記フィルター機能ブロック（３０，３１）を改めることが、前記デジタル・フィルター・ユニット（２５）において具備される、少なくとも１つのデシメーション・ブロック（３３，３５）においてデシメーション要因（Ｎ１，Ｎ２  ）を変えることを具備する、請求項１４に記載の方法。
【請求項１６】
前記無線受信装置が前記第２のネットワークでの動作に切替えられるときに、前記フィルター機能ブロック（３０，３１）を改めることが、前記デジタル・フィルター・ユニット（２５）において具備される、少なくとも１つのフィルター部分（３２，３４）の構造を変えることを具備する、請求項１４又は１５に記載の方法。
【請求項１７】
前記フィルター部分（３２，３４）の構造を変えることが、前記フィルター部分（３２，３４）において具備される、少なくとも１つのフィルター・パラメーターを変えることを具備し、そのフィルター・パラメーターが、前記フィルター部分（３２，３４）の機能を決定する、請求項１６に記載の方法。
【請求項１８】
前記フィルター部分（３２，３４）の構造を変えることが、前記第２のネットワークに対応する１組のフィルター・パラメーターを変えることを具備し、ここで前記フィルター部分（３２，３４）は、少なくとも２組のフィルター・パラメーターを具備し、各組が、前記無線受信装置によって用いられているネットワークの１つに対応している、請求項１６又は１７に記載の方法。
【請求項１９】
前記サンプリング周波数（ｆｓ）を変えることが、固定周波数を備える水晶発振器（２４）に接続される分割器（２６）によって行われる、請求項１に記載の無線受信装置。
【請求項２０】
異なるサンプリング周波数（ｆｓ）の生成が、分割器要因を具備する位相ロック・ループ（２２）によって行われ、その位相ロック・ループ（２２）は、固定周波数を備える水晶発振器（２４）に接続されている、請求項１に記載の無線受信装置。
【請求項２１】
前記サンプリング周波数（ｆｓ）を変えることが、固定周波数を備える少なくとも２つの異なる発振器の間で切り替えをすることによって行われる、請求項１に記載の無線受信装置。
【発明の詳細な説明】
【０００１】
（発明の技術分野）
本発明は、マルチモード移動無線での受信機における方法および装置に関し、それは、異なる無線ネットワーク（例えば、ＧＳＭ、ＡＭＰＳ）において用いられるように適合される。
【０００２】
（関連技術の説明）
先行技術による、マルチモード電話とも呼ばれるマルチモード無線移動電話は、セルラー・ネットワークとも呼ばれるいくつかの異なるセルラー無線電話通信ネットワークにおいて用いられるよう適合される無線移動電話であり、それは異なる周波数バンドを使用する。セルラー・ネットワークの例は、ＡＭＰＳ、Ｄ−ＡＭＰＳ、ＧＳＭ、ＤＣＳ１８００、ＧＳＭ１９００、ＩＳ−９５、ＮＭＴおよびＤＥＣＴである。異なる周波数バンドのために、異なるセルラー・ネットワークは、マルチモード電話とセルラー・ネットワークとの間の通信において用いられる異なる搬送周波数を有するものとなっている。
【０００３】
マルチモード電話での利点は、電話が、現在の瞬間に、最善の無線カバレッジ領域を有し、かつ最善の信号品質を有するセルラー・ネットワークを選択することができるというものである。それで、マルチモード電話のユーザーは、ビルディング内のＤＥＣＴのようなオフィス・ネットワークから、別のセルラー・ネットワークによってカバーされる外の領域へと移動することができる。マルチモード電話は、大きなトラフィック密度の領域において非常に良好な代替物であり、そこでは、余分なセルラー・ネットワークは、キャパシティーを増大させるために、既に存在しているセルラー・ネットワークへの補足物として用いることができる。
【０００４】
セルラー電話における受信機は、異なるセルラー・ネットワークについて異なるように実現され、それで、従来技術によると、マルチモード電話を構成するための１つの方法は、異なるセルラー・ネットワークのためのマルチモード電話において別個の受信機を実現することである。
【０００５】
この方法での問題は、別個の受信機が、移動電話において大きなスペースを占め、移動電話においてより多くの電子構成部品が含まれ、そしてそれ故に電話がより高価でより重いものとなるということである。
【０００６】
無線移動電話における受信機は、無線移動電話のアンテナにて入ってくる無線周波数信号に関する変調信号を再構成する。受信機は、入ってくる無線周波数信号と同じチャンネル・バンド幅にあるノイズのバックグラウンドにおいて望ましくない信号を拒絶し、かつ所望の、入ってくる無線周波数信号を増幅する。このことは、当業者には周知である。
【０００７】
伝統的な受信機においては、入ってくる無線周波数信号は、関連する情報が、ある復調手段によって回復される中間周波数（ｉｎｔｅｒｍｅｄｉａｔｅ  ｆｒｅｑｕｅｎｃｙ）（ＩＦ）またはベースバンド（ｂａｓｅｂａｎｄ）周波数信号に、周波数において翻訳される。
【０００８】
入ってくる無線周波数信号の受信機における復調信号処理は、伝統的にはアナログ回路（例えば、ＦＭ弁別器）によって行われるが、しかし今日では、デジタル回路もまた、例えば、ヘテロダイン構造またはホモダイン構造（直接変換構造とも呼ばれる）の受信機において、復調のために用いられている。セルラー・ネットワークにおいて現在用いられている同じ周波数スペクトラム上のトラフィック・キャパシティを著しく増大させるという要求、より低いコストのオペレーションおよび、バッテリーをセーブする能力といったような付加的な移動電話特性への要請のために、今日、セルラー・ネットワークにおいてアナログからデジタル通信へと移行が行われつつある。
【０００９】
ＡＭＰＳ、ＥＴＡＣＳおよびＮＭＴのようなアナログ・セルラー・ネットワークについて、無線移動電話における受信機は、スーパーヘテロダイン構造として最も普通に実現されている。スーパーヘテロダイン受信機は、入ってくる無線周波数信号を中間周波数帯域へとミキシング・ダウンし、かつその後、第２のより低い中間周波数へとミキシング・ダウンする。この受信機では、チャンネル・バンド幅選択が、ＳＡＷおよび／または固定バンド幅を有するセラミック・バンドパス・フィルターを備える中間周波数バンドにおいて行われる。
【００１０】
ＧＳＭ、ＧＳＭ１９００およびＤ−ＡＭＰＳのようなデジタル・セルラー・ネットワークについて、無線移動電話における受信機は、通常、異なるやり方で実現され、受信機は、入ってくる信号の多くのデジタル処理を用いる。これは、以下に簡単に記述される。
【００１１】
このデジタル・セルラー・ネットワーク受信機は、通常ヘテロダイン構造のものであるが、またホモダイン構造のものでもあり得、それらは同じ基本原理を有する。
【００１２】
ホモダイン受信機は、無線移動電話にて入ってくる無線周波数信号を、直ちに直角位相（ｑｕａｄｒａｔｕｒｅ）（ＩおよびＱ）における２つのベースバンド・チャンネルにミキシング・ダウンする。
【００１３】
ヘテロダイン受信機は、ミキシング・ダウンの前に中間周波数バンドに入ってくる無線周波数信号を、直角位相における２つのベースバンド・チャンネルにミキシング・ダウンする。受信機は、ミキシング・ダウンの前にいくつかのステップにおいて入ってくる信号を、直角位相における２つのベースバンド・チャンネルにミキシング・ダウンすることができる。チャンネル・バンド幅選択は、３つの異なる場所；中間周波数でバンドパス・フィルターにおいて、アナログ・ベースバンド信号でローパス・フィルターにおいて、およびデジタル化されたベースバンド信号で動作するデジタル・ローパス・フィルターにおいて行うことができる。デジタル・フィルタリングは、サンプリング比がナイキスト（Ｎｙｑｕｉｓｔ）サンプリング周波数よりもずっと高くさえあれば（チャンネル・バンド幅の２倍）もちろん可能である。
【００１４】
デジタル・フィルターの周知の特性は、それがサンプリング周波数にのみ関連し、一定の周波数特性には関連しないというものである。サンプリング周波数が変化するならば、フィルターの周波数特性がそれに従って増減する。それで、例えば、サンプリング周波数がその半分の値に変化するならば、デジタル・フィルターのバンド幅はその元の値の半分に縮尺される。
【００１５】
特許出願ＥＰ６７８，９７４には、携帯電話における二重周波数送信機または受信機が記述されており、そこでは、受信機には、どの周波数ネットワークが用いられるのかに基づいて、２つの周波数フロント・エンド部分の間で電話におけるアンテナを切り替える回路スイッチが含まれている。送信機または受信機は、１つの中間周波数で、双方の周波数ネットワークからの無線信号を取り扱うために、２つの異なる発振周波数を用いる。チャンネル・バンド幅は、２つの動作周波数ネットワークについて同じであり続け、したがって、チャンネル・フィルタリングは、異なる周波数ネットワークについて同じである。
【００１６】
特許ＵＳ５，００８，９２５、ＵＳ４，９７２，４５５、ＵＳ５，０２０，０９３およびＵＳ５，０２０，０９２には、チャンネル・バンド幅がそれぞれ３０ｋＨｚおよび１０ｋＨｚであるネットワークＡＭＰＳおよびＮ−ＡＭＰＳ（狭バンド（ｎａｒｒｏｗ  ｂａｎｄ）ＡＭＰＳ）へのアプリケーションのために設計された、二重チャンネル・バンド幅受信機が記載されている。異なるバンド幅で、第２の中間周波数に、２つの異なるセラミック・チャンネル・フィルターがある。チャンネル・バンド幅が、スイッチによって選択され、それは、どちらのネットワークが使われるべきであるかによって、これらのフィルターの１つを経て信号を接続する。
【００１７】
この解決での問題は、それが、セラミック・フィルターのような多くのアナログ構成部品を付加するもので、それらは、比較的高価で、シリコン中に集積することができないというものである。
【００１８】
特許ＵＳ５，３６９，７８５には、セルラー・ネットワークにおいて信号音の検出に関係する発明が記述されている。検出にはバンドパス・フィルターが用いられ、そのバンドパス・フィルターの中央周波数は、外部クロックの周波数を変化させることによって、関係する周波数に設定されている。フィルターの実際のバンド幅は、クロック周波数に関係していない。
【００１９】
（発明の概要）
本発明によって取り扱われる課題は、いくつかの異なるチャンネル・バンド幅を処理するために同じハードウエアを用いるマルチモード移動無線における受信機を設計することである。
【００２０】
本発明によって取り扱われる別の課題は、いくつかの異なるチャンネル・バンド幅を処理するために、受信機のデジタル部分にあるプログラミングの備わることを除いて同じハードウェアを用いるマルチモード移動無線における受信機を設計することである。
【００２１】
本発明の１つの意図は、いくつかの異なるチャンネル・バンド幅を処理するために、同じハードウェアを用いるかまたは、受信機のデジタル部分にあるプログラミングの備わることを除いて同じハードウエアを用いるマルチモード移動無線における受信機を結果的に設計することである。
【００２２】
課題は、本質的には、受信機のデジタル部分においてアナログ−デジタル変換器およびデジタル・フィルター・ユニットの双方を制御するサンプリング周波数を変えることによって解決される。それによって、異なる周波数バンド幅を、同じハードウェアにおいて処理することができる。
【００２３】
隣接するチャンネルでの特定のフィルタリング要件は、全てのネットワークについて基本的に同じであるという事実があるために、たいていの無線通信ネットワークについて、デジタル・フィルター・ユニットは一定のままである（すなわち、同じフィルター係数および同じフィルター構造を、デジタル・フィルター・ユニットにおいて用いることができる）。したがって、異なるチャンネル・バンド幅を備える無線通信ネットワークについてでさえ、隣接するチャンネルの特定の要件は同じオーダーである。
【００２４】
しかしながら、場合によっては、デジタル・フィルター・ユニットは、隣接するチャンネルの拒絶について、より最適なパフォーマンスを達成するためにサンプリング周波数を変えることへの補足として、デジタル・フィルター・ユニットのチャンネル・バンド幅を調整するための異なるフィルター機能に修正することができる。
【００２５】
より詳細には、課題は以下のやり方で解決される。マルチモード移動無線における受信機のアナログ部分を、同じに保つ。受信機のフロント・エンド部分（例えば、低ノイズ増幅器、バンドパス・フィルターおよび／またはミキサーを具備する）が、マルチモード移動無線によって用いられる異なるネットワークが異なる周波数バンドにおいて動作するならば、異なっているという例外がある。
【００２６】
受信機のデジタル部分において、デジタル・フィルター・ユニットによって、チャンネル・バンド幅選択がなされる。Ａ／Ｄ変換器およびデジタル・フィルター・ユニットを制御するサンプリング周波数を変えることによって、受信機の異なるチャンネル・バンド幅が達成される。サンプリング周波数を変える結果、デジタル・フィルター・ユニットのバンド幅が、それに従って増減するということになる。それによって、マルチモード移動無線によって使われるべき無線通信ネットワークのベースバンドで所望のチャンネル・バンド幅が、対応するサンプリング周波数を選択することによって設定される。
【００２７】
補足として、デジタル・フィルター・ユニットをプログラム可能なフィルター機能を備えて実現することができ、そのプログラム可能なフィルター機能は、パラメーターの変化および／またはデジタル・フィルター・ユニット内のフィルター構造を具備する。すなわち、まず、デジタル・フィルター・ユニットを制御するサンプリング周波数が変えられて、結果としてデジタル・フィルター・ユニットのバンド幅が対応して変化するものとなり、そして続いて、デジタル・フィルター・ユニットがプログラム可能であることが用いられて、フィルター・ユニット特性を精密に調整する。この結果、マルチモード移動無線によって使われるべきネットワークの所望のチャンネル・バンド幅が、デジタル・フィルター・ユニットにおいて選択されるものとなる。
【００２８】
本発明によって提供される１つの利点は、受信機における同じ構成部品が再使用されることである。受信機において、アナログ部分は、異なる周波数バンドでいくつかの無線通信ネットワークが動作する場合における固定フロント・エンド部分を除いて、正確に同じままである。受信機において、高価なアナログ構成部品の変更が成される必要はない。場合によっては、デジタル・フィルター・ユニットの小さな変更が成されるが、それは廉価で簡単なものである。
【００２９】
別の利点は、受信機のデジタル部分において、無線通信ネットワークの１つの選択が成される際に、本発明を実際に用いるのが簡単であるということである。
【００３０】
さらに別の利点は、デジタル構成部品がコンパクトであるので、受信機がコンパクトであるというものである。
【００３１】
なおも別の利点は、受信機が、低重量並びに低コストを達成することである。
【００３２】
本発明は、例示するその実施例を参照して、また添付した図面を参照して、ここにより詳細に記述される。
【００３３】
（実施例の詳細な説明）
図１は、セルラー・ネットワークとも呼ばれる２つの異なるセルラー無線電話通信ネットワークを具備する通信ネットの概略図を示す。第１の基地局ＢＳ１は、セルラー・ネットワークＧＳＭ１９００に接続され、また第２の基地局ＢＳ２および第３の基地局ＢＳ３は、セルラー・ネットワークＡＭＰＳに接続される。
【００３４】
図１に示されるようなマルチモード電話とも呼ばれるマルチモード無線移動電話ｍは、セルラー・ネットワークＧＳＭ１９００およびセルラー・ネットワークＡＭＰＳにおいての通信のために用いることができる。
【００３５】
マルチモード電話ｍは、２つのセルラー・ネットワークＧＳＭ１９００およびＡＭＰＳにおいて用いられることに限定されない。他のセルラー・ネットワーク、例えば、ＧＳＭ、ＮＭＴ、ＩＳ−９５もまた、電話によって支援されるならば、マルチモード電話ｍによって用いることができる。
【００３６】
本発明の１つの実施例が、図２と関連して以下に記述される。
【００３７】
図２は、マルチモード電話ｍにおける受信装置１の概略図を示す。
【００３８】
本発明はもちろん、２つの異なるセルラー・ネットワークのみにおいて用いられることに限定されないが、しかし簡略化のために、本発明は、この例における２つの異なるセルラー・ネットワークのみにおいて用いられるものとして記述される。
【００３９】
図２における受信装置１は、第１のセルラー・ネットワーク、例えば、ＧＳＭ１９００において用いられるように設計されている。そして、第２の受信機のフロント・エンド部分を用いることによって、および受信装置１においてＡ／Ｄ変換器とも呼ばれるアナログ−デジタル変換器とデジタル・フィルター・ユニットの双方を制御するサンプリング周波数を変えることによって、同じ受信装置１を、第２のセルラー・ネットワーク、例えば、ＡＭＰＳにおいて用いることができる。これは、以下により詳細に記述される。
【００４０】
この例において、第１のセルラー・ネットワークおよび第２のセルラー・ネットワークが、隣接するチャンネルの抑制について同様の要件を有し、かつネットワークが異なる周波数バンドにおいて動作するものとし、そして、この記述は二重モード、二重バンド電話についてのものとする。
【００４１】
受信装置１は、２つのアンテナ２，３、およびアナログ部分およびデジタル部分を具備する受信機を具備する。受信機は、前述のようなヘテロダイン構造のものであるが、本発明は、同じく前述のホモダイン構造の受信機についても同様に働く。アンテナ２および３はまた、アプリケーションによっては、二重バンドのオペレーションのために同調される１つのアンテナに結合することもできる。
【００４２】
受信機のアナログ部分は、図２に示されるとおり、第１のフロント・エンド部分５、第２のフロント・エンド部分７、中間周波数（ＩＦ）部分９、Ｉ／Ｑ復調器１１、２つのアナログ・フィルター１７，１９および２つのＡ／Ｄ変換器２１，２３を具備する。
【００４３】
第１のフロント・エンド部分５および第２のフロント・エンド部分７は、セルラー・ネットワークが異なる周波数バンドで動作する際、マルチモード電話ｍによって用いられるセルラー・ネットワークの各々に対応する。この例において、受信機のアナログ部分の第１のフロント・エンド部分５は、第１のセルラー・ネットワークＧＳＭ１９００に対応し、かつ第２のフロント・エンド部分７は、第２のセルラー・ネットワークＡＭＰＳに対応するものとする。通常、受信機のフロント・エンド部分は、バンドパス・フィルターおよび低ノイズ増幅器からなる。
【００４４】
第１および第２のセルラー・ネットワークが同じ周波数バンドにおいて動作する場合には、それらは同じフロント・エンド部分を共有することができる。この場合には、受信機のアナログ部分は、図４に示されるような１つのフロント・エンド部分のみからなる。
【００４５】
アンテナ２，３は、第１のフロント・エンド部分５または第２のフロント・エンド部分７にそれぞれ接続される。先に述べたとおり、それらアンテナはまた、信号が２つのフロント・エンド部分５，７に分離されていく１つのアンテナに結合することもできる。
【００４６】
マルチモード電話ｍによってどのネットワークが用いられるかによって、アンテナ２，３の１つが、Ｓによって表され、異なる周波数を含む入ってくる信号を受信し、そこでは、信号Ｓにおける情報の少なくとも一部が、デジタル情報である。
【００４７】
マルチモード電話ｍは、電話ｍによって用いることのできる異なるネットワークの間で変化するが、それは、手動によるか、またはマルチモード電話ｍが好ましいネットワークに位置するときに自動的に行われる。
【００４８】
アンテナ２，３は、Ｓで表され、異なる周波数を含む入ってくる信号を受信する。第１のフロント・エンド部分５および第２のフロント・エンド部分７は、望まれる周波数バンドにおいて信号を増幅し、また第１のセルラー・ネットワークおよび第２のセルラー・ネットワークにそれぞれ対応する周波数バンドの外の全ての周波数を遮蔽する成分を具備する。マルチモード電話ｍによってどのセルラー・ネットワークが用いられているかによって、それぞれの周波数バンドの内側の信号Ｓの周波数が増幅され、またそれぞれの周波数バンドの外側の周波数が遮蔽される。
【００４９】
したがって、第１のフロント・エンド部分５の後の信号Ｓ1または第２のフロント・エンド部分７の後の信号Ｓ2は、マルチモード電話ｍによって用いられているセルラー・ネットワークの周波数バンドに対応する第１の周波数バンド内の周波数を含む。
【００５０】
受信機のアナログ部分における中間周波数部分９は、第１のミキサー１２、第２のミキサー１３および中間バンドパス・フィルター１５を具備する。
【００５１】
第１および第２のフロント・エンド部分５，７は、第１のミキサー１２または第２のミキサー１３にそれぞれ接続され、そしてミキサー１２，１３は今度は、図２に示されるとおりバンドパス・フィルター１５に接続される。
【００５２】
マルチフォンｍによって使われているセルラー・ネットワークに対応するフロント・エンド部分５，７からのフィルタリングされた信号Ｓ1，Ｓ2は、対応するミキサー１２，１３において受信され、それは、この信号を、第１のローカル発振器信号Ｓc1または第２のローカル発振器信号Ｓc2のそれぞれとミキシングする。
【００５３】
第１のミキサー１２に対応する第１のローカル発振器信号Ｓc1は、周波数Ｌｏｆ1を有し、また第２のミキサー１３に対応する第２のローカル発振器信号Ｓc2は、Ｌｏｆ2なる周波数を有する。第１のローカル発振器信号Ｓc1および第２のローカル発振器信号Ｓc2は、ＶＣＯ（Ｖｏｌｔａｇｅ  Ｃｏｎｔｒｏｌ  Ｏｓｃｉｌｌａｔｏｒ：電圧制御発振器）４および６によってそれぞれ生成される。それによって、第１のミキサー１２または第２のミキサー１３のそれぞれからの出力は、その信号が第１のミキサー１２または第２のミキサー１３から取られるならば同じ周波数のものである、中間周波数バンドにおける信号Ｓ3となる。
【００５４】
このように、アンテナ２，３の１つに入ってくる信号Ｓの周波数バンドと独立して、第１のミキサー１２または第２のミキサー１３からの生成される所望の信号Ｓ3は、常に同じ中間周波数バンド内に主にある。これは、従来技術によって、ＶＣＯ周波数Ｌｏｆ1またはＬｏｆ2を変えることによって、信号Ｓ3が、同じ中間周波数バンド内で第１のミキサー１２または第２のミキサー１３によって生成されるように行われる。
【００５５】
中間バンドパス・フィルター１５は、第１のミキサー１２または第２のミキサー１３それぞれからの信号Ｓ3における全ての望ましくない周波数を、所望の第２の周波数バンドにおける中間周波数を除いて、振幅減衰させる。この中間バンドパス・フィルター・バンド幅は固定されており、前述の第１の周波数バンドよりも狭いが、しかし、受信されるセルラー・ネットワークの最も大きなチャンネル・バンド幅に適応するのにはなお十分広い。
【００５６】
バンドパス・フィルター１５は、Ｉ／Ｑ復調器１１に接続される。
【００５７】
図２に示されるとおり、Ｉ／Ｑ復調器１１は、マルチモード電話ｍによって用いられているセルラー・ネットワークに対応するベースバンドにおいて、第１の出力１６ａで信号Ｉを生成し、また信号Ｑは、マルチモード電話ｍによって用いられているセルラー・ネットワークに対応するベースバンドにおいて、第２の出力１６ｂで生成される。
【００５８】
信号ＩおよびＱは、直角位相における２つのベースバンド・チャンネルである。前述のＩ／Ｑ復調は、当業者には周知のものである。
【００５９】
Ｉ／Ｑ復調器１１の出力１６ａおよび１６ｂの各々は、アナログ・フィルター１７または１９の各々にそれぞれ接続され、またアナログ・フィルターの各々は、Ａ／Ｄ変換器２１または２３の各々にそれぞれ接続されるが、図２を参照のこと。
【００６０】
Ｉ／Ｑ復調からの信号ＩおよびＱは、各々、別個のアナログ・フィルター１７，１９（反折り返しフィルター（ａｎｔｉ−ａｌｉａｉｓｉｎｇ  ｆｉｌｔｅｒｓ））においてフィルタリングされ、Ａ／Ｄ変換器サンプリング処理における信号の折り返し（ａｌｉａｉｓｉｎｇ）を回避しており、そしてアナログ・フィルター１７，１９の後、信号ＩおよびＱは、別個のＡ／Ｄ変換器２１，２３において各々デジタル信号に変換される。
【００６１】
受信機のデジタル部分は、デジタル・フィルター・ユニット２５を具備する。受信機のデジタル部分は、さらなる構成部品を具備することができるが、しかし、それらは図２には示されていない。
【００６２】
受信機のアナログ部分におけるＡ／Ｄ変換器２１，２３の各々は、図２に示されるとおり、デジタル・フィルター・ユニット２５に接続される。
【００６３】
デジタル・フィルター・ユニット２５およびＡ／Ｄ変換器２１，２３は、サンプリング周波数ｆsによって制御される。このサンプリング周波数ｆsは、１つの実施例においては、発振器２４およびプログラム可能な分割器２６によって生成される。サンプリング周波数ｆsはまた、参照クロックおよびＰＬＬ構造で生成することもできるが、しかし、この例においては、サンプリング周波数ｆsは、発振器２４およびプログラム可能な分割器２６によって生成される。発振器２４は、本例においては、固定周波数を備える普通の水晶発振器である。
【００６４】
制御回路２８は、分割器２６に接続され、分割器２６における分割要因Ｎを制御することによって、サンプリング周波数ｆsを制御する。
【００６５】
代わりのものとして、固定周波数を備える２つの異なる発振器を用いることができ、それらにおいては、サンプリング周波数（ｆs）を変えるのは発振器間で切り替えを行うことによってなされる。これは、ここでは記述されない。
【００６６】
デジタル・フィルター・ユニットの周波数特性は、サンプリング周波数ｆsに関係しており、それは周知の技術である。サンプリング周波数ｆsが変えられるならば、デジタル・フィルター・ユニット２５のフィルター特性が、それに従って増減される。デジタル・フィルター・ユニットのバンド幅は、サンプリング周波数ｆsに比例しており、それで、例えば、サンプリング周波数ｆsがその値の半分に変えられるならば、デジタル・フィルター・ユニットの実際の周波数バンド幅は、その元の値の半分に縮尺される。
【００６７】
所望の情報の選択、すなわち、信号Ｓにおける特定のバンド幅を備える無線チャンネルは、マルチモード電話ｍによって用いられているセルラー・ネットワークのチャンネル・バンド幅の要件に基づいており、受信機のデジタル部分におけるデジタル・フィルター・ユニット２５で行われる。これは、前述の制御回路２８を経てサンプリング周波数ｆsを変えることによって、デジタル・フィルター・ユニット２５が、要請されるチャンネル・バンド幅に等しいバンド幅を獲得するように行われる。サンプリング周波数ｆsにおける変化は、制御回路２８に、分割器２６における分割器値を変えさせることによって達成される。
【００６８】
Ａ／Ｄ変換器２１，２３からの信号Ｉa，Ｑaは、デジタル・フィルター・ユニット２５を通過し、そこでは、直角位相における２つのチャンネル信号Ｉb，Ｑbが、デジタル・フィルター・ユニット２５の２つの出力２７ａ，２７ｂで生成される。２つのチャンネル信号Ｉb，Ｑbは、ゼロから、使われている特定のセルラー・ネットワークのためのベース・バンドで所望のチャンネル・バンド幅に対応するある周波数までの周波数を含む。
【００６９】
アンテナ２，３によって受信される信号Ｓにおける関係する情報は、前述のとおり、使われている特定のセルラー・ネットワークのためのベース・バンドで、チャンネル・バンド幅に等しいバンド幅を有しており、そして、このバンド幅が、デジタル・フィルター・ユニット２５のバンド幅を決定する。
【００７０】
デジタル・フィルター・ユニット２５の後、２つのチャンネル信号Ｉb，Ｑbは、データ回復ユニット２９にまで通過し、そこでは、チャンネル信号Ｉb，Ｑbからの関係する情報は、再構築される。
【００７１】
前述の実施例と関連する例および図２が、以下に与えられる。
【００７２】
この例において、第１のセルラー・ネットワークがデジタル・セルラー・ネットワークＧＳＭ１９００（ＧＳＭに基づく）に対応しており、また第２のセルラー・ネットワークがアナログ・セルラー・ネットワークＡＭＰＳに対応しており、それらのネットワークは、隣接するチャンネルの抑制について同様の要件を有する。
【００７３】
ＧＳＭ１９００移動受信機は、１９３０と１９９０ＭＨｚの間の１９００ＭＨｚの周波数バンドにおいて動作し、またＡＭＰＳ移動受信機は、８６９と８９４ＭＨｚの間の８００ＭＨｚ周波数バンドにおいて動作する。
【００７４】
ＧＳＭ１９００移動受信機のための要件は、ベースバンドで９０ｋＨｚバンド幅（ＧＳＭ１９００チャンネル分離２００ｋＨｚの半分よりもわずかに小さい）を有することであり、また、ＡＭＰＳ移動受信機のための要件は、ベースバンドで１３．５ｋＨｚのバンド幅（ＡＭＰＳチャンネル分離は３０ｋＨｚ）を有することである。
【００７５】
ネットワークＧＳＭ１９００およびＡＭＰＳは、異なる周波数バンドにおいて動作するので、受信機のアナログ部分は、前記実施例において記述されているとおり、各ネットワークについて１つで、２つの異なるフロント・エンド部分５および７を具備する。
【００７６】
この例においては、ネットワークＧＳＭ１９００は、前述の第１のフロント・エンド部分５のようなフロント・エンド部分を必要とし、またネットワークＡＭＰＳは、前述の第２のフロント・エンド部分７のようなフロント・エンド部分を必要とするものとする。
【００７７】
この例においてはまた、受信装置１は、セルラー・ネットワークＧＳＭ１９００を取り扱うように設計されているものとし、そこでは受信機のデジタル部分においてデジタル・フィルター・ユニット２５を制御するサンプリング周波数ｆsが、デジタル・フィルター・ユニット２５のバンド幅が、９０ｋＨｚに等しいネットワークＧＳＭ１９００のベースバンドで、必要であるチャンネル・バンド幅に等しくなるように変えられる。
【００７８】
前述の実施例による図２のアンテナ２は、異なる周波数を備える関連情報を含む入ってくる信号Ｓを受信し、そして続いて第１のフロント・エンド部分５は、１９３０乃至１９９０ＭＨｚであるＧＳＭ１９００移動受信バンドに対応する周波数バンドの外の全ての周波数を遮断する。
【００７９】
第１のフロント・エンド部分５からのフィルタリングされる信号Ｓ1は、中間周波数部分９において受信され、そしてさらに第１のミキサー１２に送られる。そして第１のミキサー１２は、この信号を前述の第１のローカル発振器信号Ｓc1とミキシングし、ここで第１のミキサー１２は、中間周波数バンドにおいて信号Ｓ3を生成する。この実施態様において、アンテナ３に関する第２のフロント・エンド部分７は、オフに切り替えられ、そして信号Ｓ3は、単独でアンテナ２から生じる。
【００８０】
中間周波数部分９におけるバンドパス・フィルター１５は、大まかに２００ｋＨｚの固定フィルター・バンド幅を有しており、第１のミキサー１２からの信号Ｓ3における中間周波数を、所望の第２の周波数バンドにおける中間周波数を除いて全て遮断する。バンドパス・フィルター１５は、関係するチャンネルの外の信号のパワーを低減し、そしてそれによって、幾分かのチャンネル・フィルタリングを行う。残りのチャンネル・フィルタリングは、デジタル・フィルター・ユニット２５において取り扱われる。
【００８１】
Ｉ／Ｑ復調器１１は、第２の周波数バンドにおいて信号を受信し、そして続いて、Ｉ／Ｑ復調器１１は、ネットワークＧＳＭ１９００のベースバンドにおいて第１の出力１６ａで信号Ｉを生成し、また信号Ｑは、ネットワークＧＳＭ１９００のベースバンドにおいて第２の出力１６ｂで生成される。
【００８２】
各信号Ｉ，Ｑは、別個のアナログ・フィルター１７，１９においてフィルタリングされる。アナログ・フィルター１７，１９の後、信号ＩおよびＱは、この場合は１３ＭＨｚのサンプリング・クロックでサンプリングされ、そして続いて、各々は、図２に示されるように、別個のＡ／Ｄ変換器２１，２３において、信号ＩaおよびＱaにデジタル的に変換される。１３ＭＨｚのサンプリング・クロックは、３９ＭＨｚで発振器２４を有し、かつプログラム可能な分割器２６においてＮ＝３によって分割することによって生成される。
【００８３】
続いて、信号ＩaおよびＱaは、デジタル・フィルター・ユニット２５において処理され、そこでは、直角位相における２つのチャンネル信号ＩbおよびＱbが、デジタル・フィルター・ユニット２５の２つの出力２７ａ，２７ｂで生成される。デジタル・フィルターの後、２つのチャンネル信号ＩbおよびＱbは、ゼロから９０ｋＨｚまでの周波数を含み、それは、ネットワークＧＳＭ１９００についてのベースバンドで、所望のチャンネル・バンド幅に対応する。
【００８４】
デジタル・フィルター・ユニット２５の後、２つのチャンネル信号ＩbおよびＱbは、データ回復ユニット２９へと通され、そこではチャンネル信号ＩbおよびＱbからの関連情報が、再構築される。
【００８５】
ここで、図２において、アンテナ３および第２のフロント・エンド部分７に関係する受信装置１を、ネットワークＡＭＰＳにおいて用いるものとする。
【００８６】
受信装置１は、ネットワークＧＳＭ１９００からネットワークＡＭＰＳへと、ネットワーク間で手動で切り替えることによって、切り替えて用いられ、またはそれは、マルチモード・フォンｍをネットワークＡＭＰＳで用いるときに受信装置１において自動的に行われる。
【００８７】
ネットワーク間での切り替えは、デジタル・フィルター・ユニット２５を制御するサンプリング周波数ｆsを変えるように制御回路２８に影響を及ぼす。本件においては、サンプリング周波数ｆsは、要因６  ２／３≒６．６７によって低減される。これはまた、前述のように、要因６．６７によってデジタル・フィルター・ユニット２５のバンド幅をも変えるものである。このようにデジタル・フィルター・ユニット２５のバンド幅は、９０／６．６７ｋＨｚ≒１３．５ｋＨｚに等しく、それは、ネットワークＡＭＰＳのベースバンドで、要請されるチャンネル・バンド幅に等しい。
【００８８】
続いて、前述の実施例による図２のアンテナ３は、異なる周波数を含む入ってくる信号Ｓを受信し、そして第２のフロント・エンド部分７は、８６９乃至８９４ＭＨｚであるネットワークＡＭＰＳに対応する周波数バンドの外の全ての周波数を遮断する。
【００８９】
第２のフロント・エンド部分７からフィルタリングされた信号Ｓ2が、中間周波数部分９において受信され、そしてさらに第２のミキサー１３へと送られる。続いて、第２のミキサー１３は、この信号を第２のローカル発振器信号Ｓc2とミキシングし、ここで第２のミキサー１３は、中間周波数バンドにおける信号Ｓ3を生成する。この実施態様において、アンテナ２に関係する第１のフロント・エンド部分５は、オフに切り替えられ、そして信号Ｓ3は、アンテナ３から単独で生じる。
【００９０】
中間周波数部分９におけるバンドパス・フィルター１５は、第２のミキサー１３からの信号Ｓ3における中間周波数を、２００ｋＨｚ幅の第２の周波数バンドにおける中間周波数を除いて全て遮断する。バンドパス・フィルター１５は、より広いＧＳＭ１９００チャンネル・バンド幅のために選択される固定バンド幅を有するので、このフィルターはＡＭＰＳには適さない。この場合において、それは、所望のＡＭＰＳチャンネル周波数バンド並びにＡＭＰＳにおいて隣接するチャンネルを通過する。これらの望ましくないチャンネルは、デジタル・フィルター・ユニット２５において後にフィルタリングで取り除かれなければならない。
【００９１】
その後、Ｉ／Ｑ復調器１１は、第２の周波数バンドにおける信号を受信し、そして続いて、Ｉ／Ｑ復調器１１は、第１の出力１６ａでＡＭＰＳベースバンド信号Ｉを、および第２の出力１６ｂでＡＭＰＳベースバンド信号Ｑを生成する。双方のベースバンド信号はまた、バンドパス・フィルター１５の２００ｋＨｚのバンド幅を通過している隣接するチャンネル干渉を含む。
【００９２】
Ｉ／Ｑ復調からの信号ＩおよびＱは、別個のアナログ・フィルター１７，１９においてフィルタリングされ、そしてアナログ・フィルター１７，１９の後、信号ＩおよびＱは、各々、図２に示されるように、別個のＡ／Ｄ変換器２１，２３における信号ＩaおよびＱaにデジタル的に変換される。
【００９３】
Ａ／Ｄサンプリング速度およびデジタル・フィルター・ユニット２５を制御するサンプリング周波数ｆsは、前述のとおり、このＡＭＰＳの場合においては、要因６．６７によって低減され、ここで、この場合にはサンプリング周波数ｆsは、１３ＭＨｚ／６．６７＝１．９５ＭＨｚに等しい。これは、制御回路２８に、分割器２６に、ＧＳＭ１９００の場合におけるようなＮ＝３の代わりにＮ＝２０によって分割させるものとすることによって達成される。
【００９４】
前述の通り、これは、要因６．６７によってデジタル・フィルター・ユニット２５のバンド幅を変えるものである。デジタル・フィルター・ユニット２５のバンド幅は、この様に９０／６．６７ｋＨｚ≒１３．５ｋＨｚに等しい。
【００９５】
続いて、信号ＩaおよびＱaは、デジタル・フィルター・ユニット２５において処理され、ここで、直角位相における２つのチャンネル信号ＩbおよびＱbが、デジタル・フィルター・ユニット２５の２つの出力２７ａ，２７ｂで生成される。２つのチャンネル信号ＩbおよびＱbは、ゼロから１３．５ｋＨｚまでの周波数を含み、それは、ネットワークＡＭＰＳについてのベースバンドで所望のチャンネル・バンド幅に対応する。
【００９６】
デジタル・フィルター・ユニット２５の後、２つのチャンネル信号ＩbおよびＱbはデータ回復ユニット２９に通され、そこではチャンネル信号ＩbおよびＱbからの関連情報が、再構築される。
【００９７】
受信機のデジタル部分におけるデジタル・フィルター・ユニット２５は、マルチモード・フォンｍによって用いられている２つのセルラー・ネットワークについて要件が異なる場合に、最も隣接するチャンネル抑制を要請するセルラー・ネットワークについて設計されている。
【００９８】
受信機のアナログ部分におけるアナログ・フィルター１７，１９は、受信機において用いられるべき最も低いサンプリング周波数での、十分な反折り返し（ａｎｔｉ−ａｌｉａｉｓｉｎｇ）フィルタリングのために、かつマルチモード・フォンｍによって用いられているセルラー・ネットワークのためのベースバンドで、最も大きなチャンネル・バンド幅を備える信号を歪ませないだけ十分大きなパスバンドをもって、常に設計されている。
【００９９】
マルチモード・フォンｍが、セルラー・ネットワークＧＳＭ１９００を用いるように変えて戻されるとき、この実施例における制御回路２８は、分割器２６における分割要因Ｎを変えて３に戻し、そしてこのように、サンプリング周波数ｆsを要因６．６７によって増大させ、約９０ｋＨｚ（１３．５ｋＨｚ×６．６７≒９０ｋＨｚ）のデジタル・フィルター・ユニット２５のバンド幅が得られるものとし、それはネットワークＧＳＭ１９００のベースバンドで要請されるチャンネル・バンド幅に等しい。
【０１００】
デジタル・フィルター・ユニット２５は、多くのやり方で実現することができる。選択される構造は、問題のセルラー・ネットワーク並びに選択される実施技術の双方に依存する。ここで記述される実施は、全ての状況についての限定的な選択というよりもむしろ、基本的な考えの例として理解されるべきである。当業者にとって、提示された解決法をどのように一般化し、かつ多様化することができるかは、明白である。
【０１０１】
図３ａは、デジタル・フィルター・ユニット２５のブロック図を示す。２つの信号ＩaおよびＱaは、２つの同一のフィルタリング機能ブロック３０および３１においてフィルタリングされ、それはＩbおよびＱbを生成する。これらの２つのブロックは、物理的に別個のユニットであるか、または信号ＩaおよびＱaの間で時間多重される単一のユニットであるかし得る。時間多重化される解決法は、２なる要因によって、デジタル信号処理の２倍の速さという対価で、デジタルのハードウェアを低減する。
【０１０２】
フィルタリング機能ブロック３０の１つの可能な実施が、図３ｂに示されている。信号Ｉaが、第１の有限インパルス応答（ｆｉｎｉｔｅ  ｉｍｐｌｕｓｅ  ｒｅｓｐｏｎｓｅ）（ＦＩＲ）フィルター３２に送出される。フィルタリングの後、信号は、デシメーション（ｄｅｃｉｍａｔｉｏｎ）ブロック３３において、要因Ｎ1にデシメートされる。続いて、信号は、第２のＦＩＲフィルター３４に送られ、そして最終的に、デシメーション・ブロック３５において、要因Ｎ2にデシメートされる。
【０１０３】
図３ｃには、どのように第１のＦＩＲフィルター３２を実現することができるかの例が含まれている。長さＬのフィルターを想定すると、Ｌ個の遅延素子（図において、Ｄという印の付けられたボックス）およびＬ＋１個のフィルター係数ｂ0，ｂ1，．．．，ｂLがある。第１のＦＩＲフィルター３２の長さＬおよびフィルター係数ｂ0，ｂ1，．．．，ｂLが、第１のＦＩＲフィルター３２のフィルター機能を決定する。あるフィルター機能を獲得するために、どのようにフィルター長Ｌおよびフィルター係数ｂ0，ｂ1，．．．，ｂLの双方を選択するかについて数多くのテキスト・ブックがあるが、Ｔ．Ｗ．パークスおよびＣ．Ｓ．バラス（Ｔ．Ｗ．Ｐａｒｋｓ  ａｎｄ  Ｃ．Ｓ．Ｂｕｒｒｕｓ）による「デジタル・フィルター設計（“Ｄｉｇｉｔａｌ  Ｆｉｌｔｅｒ  Ｄｅｓｉｇｎ”）」ジョン・ウィリー・アンド・サンズ社（Ｊｏｈｎ  Ｗｉｌｅｙ  ＆  Ｓｏｎｓ，  Ｉｎｃ．，）１９８７年を一例として参照する。ＦＩＲフィルターとは別のフィルター構造を選択することもまた可能である。上記参照資料によって、フィルター機能を実現するのに用いることができるＦＩＲとは離れた異なる構造のいくつかの例が与えられている。
【０１０４】
２つのＦＩＲフィルター３２および３４は、共同でＧＳＭ１９００のために必要なチャンネル・フィルタリングを行う。デシメーション要因は、Ｎ1＝１２およびＮ2＝４として選択される。デシメーション要因の合計は、１２・４＝４８であり、それは、サンプリング速度を、入力Ｉaでの１３ＭＨｚから出力Ｉbでの２７０．８３３ｋＨｚへと低減する。２７０．８３３ｋＨｚは、ＧＳＭ１９００におけるシンボル速度に等しく、また図２のデータ回復ユニット２９のために便宜的なサンプリング速度である。
【０１０５】
本発明の代わりの実施例が、先の実施例および図４と関連して以下に記述される。
【０１０６】
この実施例においては、マルチモード・フォンｍによって２つの異なるセルラー・ネットワークが用いられており、かつセルラー・ネットワークはベースバンドでのチャンネル・バンド幅について全く異なる要件を有するものとする。この実施例による本発明はまた、もちろん３つ以上のセルラー・ネットワークで動作しているマルチモード・フォンにおいて実施することもできる。
【０１０７】
マルチモード・フォンｍによって用いられるセルラー・ネットワーク間で切り替えられるとき、受信装置１は、先の実施例において記述されるように、受信機のデジタル部分において、デジタル・フィルター・ユニット２５を制御するサンプリング周波数ｆsを変えることによって、この実施例による新しいセルラー・ネットワークに適合される。
【０１０８】
ベースバンドでのチャンネル・バンド幅についての要件は、マルチモード・フォンｍによって使われるべき２つのセルラー・ネットワークについて全く異なっているので、デジタル・フィルター・ユニット２５のバンド幅を変えるために、サンプル周波数ｆsの変化のみを用いることは実際的ではない。デジタル・フィルター・ユニット２５におけるフィルター・パラメーターのいくつかを変えることを可能とすることによって、デジタル・フィルター・ユニット２５のフィルター機能は、異なるセルラー・ネットワークの要件に、より容易に調整することができる。
【０１０９】
この実施例に関連する例が、以下に記述される。
【０１１０】
この例においては、マルチモード・フォンｍにおける受信機は、ＧＳＭ１９００およびＩＳ−９５の結合受信機であるとする。
【０１１１】
ＧＳＭ１９００移動受信機およびＩＳ−９５移動受信機の双方は、１９３０と１９９０ＭＨｚとの間の１９００ＭＨｚ周波数バンドにおいて動作する。ＧＳＭ１９００のための要件は、ベースバンドで９０ｋＨｚのチャンネル・バンド幅を有することであり、またＩＳ−９５移動受信機のための要件は、ベースバンドで約０．６ＭＨｚのチャンネル・バンド幅を有することである。
【０１１２】
ネットワークＧＳＭ１９００およびＩＳ−９５は、同じ周波数バンドにおいて動作するので、受信機のアナログ部分は、図４に示されるように、１つのフロント・エンド部分、例えば、前述の第１のフロント・エンド部分５のみを具備する。受信機は、前述のようにヘテロダイン構造のものであるが、しかし本発明は、先の実施例におけるように、ホモダイン構造の受信機についても同様に働く。
【０１１３】
この例においてはまた、受信機は、セルラー・ネットワークＧＳＭ１９００を取り扱うように設計されており、かつこの実施態様について、デジタル・フィルター・ユニット２５が、図３ａ，３ｂ，３ｃにおいて示されるのと同じ構造で実現されているものとする。
【０１１４】
サンプリング周波数ｆsは１３ＭＨｚに等しい。デジタル・フィルター・ユニット２５におけるチャンネル・フィルタリングは、要因Ｎ1＝１２およびＮ2＝４での中間サンプル速度デシメーションを備える２つのＦＩＲフィルター３２，３４を用いて行われる。これによって、サンプル速度が、先の例において記述されるようにデジタル・フィルター・ユニット２５の出力で１３ＭＨｚ／（１２*４）≒２７０．８３３ｋＨｚにまで低下される。ベースバンドでのデジタル・フィルター・ユニット２５のチャンネル・バンド幅合計は、先の例におけるとおり、９０ｋＨｚである。
【０１１５】
この実施例において、中間バンドパス・フィルター１５は、先の例におけるよりもずっと広いバンド幅を有する。それは、ＩＳ−９５の１．２３ＭＨｚの広さのチャンネルを通過しなければならない。それ故、中間周波数部分９におけるバンドパス・フィルター１５は、先の例におけるよりも受信装置１におけるチャンネル・フィルタリングの合計により少なく貢献しており、そしてより多くのフィルタリングが、デジタル・フィルター・ユニット２５において行われなければならない。
【０１１６】
図３ａ，３ｂ，３ｃにおけるのと同じ構造を、なおも用いることができるが、しかし、デジタル・フィルター・ユニット２５の内側の２つのＦＩＲフィルター３２，３４のフィルター係数ｂ0，ｂ1，．．．，ｂL（および可能ならば長さＬ）が変えられなければならない。ＦＩＲフィルター３２，３４の一方または双方をＩＩＲフィルター（ｉｎｆｉｎｉｔｅ  ｉｍｐｕｌｓｅ  ｒｅｓｐｏｎｓｅ  ｆｉｌｔｅｒ：不定インパルス応答フィルター）に変えることを行うこともできるが、しかしこれは、ここでは記述されない。
【０１１７】
ここで、マルチモード・フォンｍが、セルラー・ネットワークＩＳ−９５において用いられるものであるとする。これは、図４に例示されている。
【０１１８】
前述の実施例による、図４のアンテナ２は、異なる周波数を含む入ってくる信号Ｓを受信し、また第１のフロント・エンド部分５は、１９３０乃至１９９０ＭＨｚであるＩＳ−９５移動受信バンドに対応する周波数バンドの外の全ての周波数を遮断する。
【０１１９】
第１のフロント・エンド部分５からのフィルタリングされた信号Ｓ1は、中間周波数部分９において受信され、かつさらに第１のミキサー１２に送られる。続いて第１のミキサー１２は、この信号を、図４でＳcと指定されるローカル発振器信号とミキシングし、ここで、第１のミキサー１２は、中間周波数バンドにおいて信号Ｓ3を生成する。
【０１２０】
中間周波数部分９におけるバンドパス・フィルター１５は、第１のミキサー１２からの信号Ｓ3における中間周波数を、所望の第２の周波数バンドにおける中間周波数を除いて全て遮断する。
【０１２１】
その後、Ｉ／Ｑ復調器１１は、第２の周波数バンドにおいて信号を受信し、そして続いて、Ｉ／Ｑ復調器１１は、第１の出力１６ａでＩＳ−９５ベースバンド信号Ｉをおよび第２の出力１６ｂでＩＳ−９５ベースバンド信号Ｑを生成する。
【０１２２】
Ｉ／Ｑ復調からの信号ＩおよびＱはさらに、別個のアナログ・フィルター１７，１９においてフィルタリングされ、そしてアナログ・フィルター１７，１９の後、信号は各々、図４に示される通り、サンプリング周波数ｆsで、別個のＡ／Ｄ変換器２１，２３において信号ＩaおよびＱaにデジタル的に変換される。
【０１２３】
その後、信号ＩaおよびＱaは、デジタル・フィルター・ユニット２５において処理される。デジタル・フィルター・ユニット２５を取り扱う１つのやり方は、サンプリング周波数ｆsを変え、そしてちょうど先の例におけるようにデジタル・フィルター・ユニット２５のバンド幅を増減させることである。これは、１３ＭＨｚ*０．６ＭＨｚ／９０ｋＨｚ＝８６．６７ＭＨｚに等しいサンプリング周波数ｆsを必要とする。この選択は実際的ではない。まず第１に、周波数が高く、デジタル・フィルター・ユニット２５において不必要に速い信号処理を行うことにつながり、そして第２に、ＩＳ−９５におけるチップ速度１．２２８８ＭＨｚの倍数であるサンプル速度を有することが有益であろう。
【０１２４】
その代わりに、ＩＳ−９５のチップ速度の要因にマッチするようにサンプリング周波数ｆsを変えることを選択する。サンプリング速度ｆsは、ＩＳ−９５モードにおいて、１３ＭＨｚから１２・１．２２８８ＭＨｚ＝１４．７４５６ＭＨｚに変えられる。この例においては、サンプリング周波数ｆsは、位相ロック・ループ（ｐｈａｓｅｄ  ｌｏｃｋｅｄ  ｌｏｏｐ）（ＰＬＬ）２２を用いることによって生成される。ＰＬＬは、発振器２４の固定参照周波数に基づいて出力周波数を生成する。制御回路２８は、内部ＰＬＬ分割器要因を制御することによってＰＬＬの出力周波数を定義する。この構造は、当業者にとっては周知のものである。
【０１２５】
デジタル・フィルター・ユニット２５は、図３ａ，３ｂ，３ｃにおけるのと同じ基本構造を用いて実現される。デシメーション要因は、Ｎ1＝３およびＮ2＝１に変えられる。これは、チップ周期当たり４つのサンプルに等しい１４．７４５６ＭＨｚ／（３*１）≒４．９１５２ＭＨｚで、デジタル・フィルター・ユニット２５からの出力サンプル速度につながる。
【０１２６】
第１のＦＩＲフィルター３２は、変えずにおくことができる。それは、ＧＳＭ１９００の場合において、デシメーション・ブロック３３におけるデシメーション要因Ｎ1＝１２を、有害な折り返しにつながるであろう信号を通過させることなく取り扱うよう設計されており、そしてそれ故に、ＩＳ−９５の場合におけるように、より小さなＮ1を有することが問題とはならないものである。
【０１２７】
図３ａ，３ｂ，３ｃにおけるようなフィルター構造において、デジタル・フィルター・ユニット２５のバンド幅合計を決定するのは第２のＦＩＲフィルター３４である。ＧＳＭ１９００の場合において、このバンド幅は９０ｋＨｚである。サンプリング周波数ｆsよびデシメーション要因Ｎ1を変えることで、このバンド幅を９０ｋＨｚ・１４．７４５６／１３・１２／３＝４０８ｋＨｚに変える。これは、バンドベースでＩＳ−９５の０．６ＭＨｚのバンド幅を比べて狭すぎるバンドである。デシメーション要因Ｎ2は、信号に、それがＦＩＲフィルター３２，３４を通過した後で影響を及ぼし、そこでこの要因Ｎ2は、デジタル・フィルター・ユニット２５のバンド幅を変えるものではない。
【０１２８】
代わりの第２のＦＩＲフィルター３４は、このように必要である。これは、デジタル・フィルター・ユニット２５の第２のＦＩＲフィルター３４において２組のフィルター・パラメーター（すなわち、フィルター係数ｂ0，ｂ1，．．．，ｂLおよび可能ならば長さＬ）を可能とすることによって、むしろ簡単に達成することができる。第１の組は、ＧＳＭ１９００にとって必要とされるバンド幅に対応し、一方、第２の組は、ＩＳ−９５にとって必要とされるバンド幅に対応する。第２のＦＩＲフィルター３４における２組のフィルター・パラメーター間での変更は、マルチモード・フォンｍが、この場合においては、ネットワークＧＳＭ１９００とＩＳ−９５との間で切り替わるとき、同時に行われる。
【０１２９】
同じ基本デジタル・フィルター・ユニット２５が、ＧＳＭ１９００およびＩＳ−９５モードの双方について用いられる。唯一の相違点は、図３ｂのデシメーション・ブロック３３，３５におけるデシメーション要因Ｎ1，Ｎ2の変更および第２のＦＩＲフィルター３４におけるフィルター・パラメーターの切り替えである。双方の場合において、デジタル・フィルター・ユニット２５は、ＧＳＭ１９００およびＩＳ−９５のベースバンドで要請されるチャンネル・バンド幅の外の周波数がそれぞれ遮蔽されるように、信号をフィルタリングする。
【０１３０】
ＩＳ−９５の場合においては、それによって、直角位相における２つのチャンネル信号ＩbおよびＱbが、デジタル・フィルター・ユニット２５の２つの出力２７ａ，２７ｂで生成される。２つのチャンネル信号ＩbおよびＱbは、ゼロから０．６ＭＨｚまでの周波数を含み、それは、ネットワークＩＳ−９５についてのベースバンドで所望のチャンネル・バンド幅に対応する。
【０１３１】
デジタル・フィルター・ユニット２５の後、２つのチャンネル信号ＩbおよびＱbは、データ回復ユニット２９に通され、そこでは、チャンネル信号ＩbおよびＱbからの関連情報が、再構築される。
【０１３２】
Ａ／Ｄ変換器２１，２３が、デジタル・フィルター・ユニット２５と同期する限り、前述の実施例において、Ａ／Ｄ変換器２１，２３およびデジタル・フィルター・ユニット２５を制御するために、別個の発振器を用いることが可能である。簡易化のために、上の例においては、Ａ／Ｄ変換器２１，２３およびデジタル・フィルター・ユニット２５を制御するのに同じ発振器２４が用いられる。
【０１３３】
前述の実施例におけるデジタル・フィルター・ユニット２５は、Ａ／Ｄ変換器２１，２３の各々が、別個のデジタル・フィルターに接続される別個のデジタル・フィルターとしてか、または２つの信号フローの間で多重化される１つのフィルター・ユニットとして実現することができる。
【０１３４】
前記実施例において、組み合わされたデシメーション・ユニットを備えるＦＩＲフィルターを用いた。これは、例として理解されるべきである。フィルター機能を実現するために、代わりに用いることができるであろう、その他多くのフィルター構造がある。これは当業者には明白であり、フィルター構造の変更は、前記に提示されているものの総体的な考えに含まれるものとして理解されるべきである。
【０１３５】
前述の実施例におけるフロント・エンド部分５，７を除く受信機のアナログ部分は、前述の構成部品を具備することに限定されない。例として、中間周波数部分９は、電話によって用いられる異なるセルラー・ネットワークについて別個のものとすることができる。Ｉ／Ｑ復調器１１はまた、必ずしも、２つの異なるセルラー・ネットワークについて共通の構成部品である必要はない。アナログ部分のさらなる変更を用いることも可能である。
【０１３６】
前述した発明は、その精神または本質的な特性から逸脱することなく、さらに別の特定の形状で実施されるであろう。したがって、本実施例は、全ての観点において、例示的なものであって制限的なものではないと考えられるべきであり、本発明の範囲は、前記の記述によるよりもむしろ、添付した請求の範囲によって指示され、したがって、請求の範囲と等価のものの意味および範囲内に入る全ての変更は、その中に含まれることが意図されている。
【図面の簡単な説明】
【図１】  本発明による異なるセルラー・ネットワークを具備する通信ネットの概略図である。
【図２】  本発明によるマルチバンドのヘテロダイン受信装置を例示するブロック図である。
【図３ａ】  本発明によるデジタル・フィルター・ユニットを例示するブロック図である。
【図３ｂ】  本発明によるデジタル・フィルター・ユニットを例示するブロック図である。
【図３ｃ】  本発明によるデジタル・フィルター・ユニットを例示するブロック図である。
【図４】  本発明による、異なるチャンネル・バンド幅を備える２つの異なるセルラー・ネットワークにおいてであるが、同じバンドにおいて動作するヘテロダイン受信装置を例示するブロック図である。
【図１】
0004339509.tif 000002
【図２】
0004339509.tif 000003
【図３ａ】
0004339509.tif 000004
【図３ｂ】
0004339509.tif 000005
【図３ｃ】
0004339509.tif 000006
【図４】
0004339509.tif 000007